(57)【要約】【課題】  既存の簡潔な収納物に収容し、収納物内の複数枚の名刺束中から一枚ずつ容易に取り出すことができ、携帯性、簡便性及び経済性にも優れる滑り防止部付名刺を提供する。【解決手段】  本発明の滑り防止部付名刺１〜１Ｖは、名刺のシートの表面又は及び裏面の一端側又は両端側もしくは４辺全端側に、指先の滑りを防止する滑り防止部が一ヶ所又は複数ヶ所に予め設けられた滑り防止部付名刺であって、前記滑り防止部は、任意形状の線状、多角形状、もしくは絵柄又は文字型イラストが選択的に前記表面又は及び裏面に対して凹状又は及び凸状に形成される。【選択図】図６
2016049715.tif 000002
【特許請求の範囲】
【請求項１】
名刺のシートの表面又は及び裏面の一端側又は両端側もしくは４辺全端側に、指先の滑りを防止する滑り防止部が一ヶ所又は複数ヶ所に予め設けられた滑り防止部付名刺であって、
前記滑り防止部は、任意形状の線状又は帯状、円形状、長円形状、楕円形状、多角形状、もしくは絵柄又は文字イラストが選択的に前記表面又は及び裏面に対して凹状又は及び凸状に形成される、ことを特徴とする滑り防止部付名刺。
【請求項２】
前記名刺の滑り防止部が設けられる一端側は、前記シート類が収納される収納物の取り出し口側方向に配置される、ことを特徴とする請求項１記載の滑り防止部付名刺。
【請求項３】
前記滑り防止部は、複数の小突起部又は及び小凹陥部が分散配置され形成される、ことを特徴とする請求項１又は請求項２記載の滑り防止部付名刺。
【請求項４】
前記滑り防止部は、複数の帯状突起部又は及び帯状凹溝が任意の角度で略並列又は交叉状に配置され形成される、ことを特徴とする請求項１又は請求項２記載の滑り防止部付名刺。
【発明の詳細な説明】
【技術分野】
【０００１】
本発明は、名刺に滑り防止部を付加した滑り防止部付名刺に係り、より詳しくは、積み重ねられた名刺を一枚ずつ把持又は収納物から取り出す際に指先の滑りを防止する滑り防止部が当該名刺に予め付加された滑り防止部付名刺に関する。
【背景技術】
【０００２】
ビジネスマンなど多分野の人々に利用される名刺は、束縛されない名刺束状に複数枚重ねられて携帯用の名刺入れあるいはポケットなどの収納物に収容され、初対面の人物に対して名刺を手渡す際に、人差し指、中指、親指等任意の指先で重ねられた複数枚の中から一枚ずつ取り出して、相手方に手渡される。しかし、この際に、名刺の材質が滑り易かったり、あるいは指先が乾燥している等の滑り易い状況下においては、収納物内の名刺束中から一枚ずつ取り出す作業が容易ではなく、取り出し作業に長時間を要したり、あるいは複数枚の名刺束を収納物から取り出してから一枚ずつ仕分けて手渡すという煩雑な作業を要する不手際を生じることが多い。
【０００３】
このような不手際は、ビジネスマンが顧客相手に名刺交換を行う場合などの重要な場面においては、相手に悪印象を与える原因ともなり問題である。
【０００４】
また、財布のポケットに収納した名刺や各種カード類あるいは札などを取り出す際にも指先が滑ることが多く、様々なケースで不具合をもたらしている。
【０００５】
このような問題に対し、これまで名刺入れやカード入れなどの収納物に、一枚ずつ名刺や各種カードを取り出すことができるような、種々の対策を施す処置が図られる提案がなされている。
【０００６】
例えば、特許文献１に記載の「取り出し容易な名刺、カード類の容器」は、下部ケーシングに係止段付部付き開口部と開口部を形成し、下部ケーシングの内底面に取り出し用の一枚の名刺を残すように構成され、当該下部ケーシングに設けられた上部ケーシングを摺動させて、当該一枚の名刺を取り出すことができる。
【０００７】
また、特許文献２に記載の「滑り止め付シートホルダ」は、シートホルダの適所に滑り止め剤を配置し、内部に収納した名刺束中から一枚ずつ名刺を指先にて取り出す際に、前記滑り止め剤に指先を擦り付けることにより滑り止め効果が得られ、シートホルダから名刺、カード、札等のシート類を指先により一枚ずつ取り出すことができる。
【０００８】
また、特許文献３に記載の「カードケース」は、仕切り地によって形成される複数のカード収容口の背面側にカード収容部が多層状に形成または並設されてなり、操作手段が連結されたカード収容部に収容されたカードがカード収容口に案内されてスライド引き出しされるよう構成され、スライド操作によって各々カードが収容口に案内されながら所定位置まで一体的にスライド引き出しされてカードが取り出し易くなる。
【０００９】
また、特許文献４に記載の「取り出し易い名刺入れ」は、積層状態に収容された名刺を、名刺入れの底面の中心部上部に押し上げる切込みを設け、その押上げ部を指で上方向に押し上げ名刺を上に反らし取り出し易くし、他の指で名刺を上方向に１枚だけ押出し、容易に名刺を取り出すことができる。
【００１０】
さらに、特許文献５に記載の「名刺入れ」は、複数枚の名刺を収容させるケース体と、ケース体の側部に設けた名刺取り出し口より上面に名刺を乗せた状態でケース体へ出入り可能に取り付けられた名刺取り出しプレートと、名刺取り出しプレートを一方向へ移動付勢させる弾性手段とを有し、移動付勢された名刺取り出しプレートがその上に名刺を１枚だけ載せた状態で外部へ露出するように旋回移動し、その名刺を抜き取るだけで名刺を１枚ずつ取り出す操作を自動的に行うことができる。
【先行技術文献】
【特許文献】
【００１１】
【特許文献１】特開平７−１４９３８１号公報
【特許文献２】特開２０００−２４７０８２号公報
【特許文献３】特開２００２−２３８６２８号公報
【特許文献４】特開２００７−３３１３６１号公報
【特許文献５】特開２０１２−８６５１８号公報
【発明の概要】
【発明が解決しようとする課題】
【００１２】
しかし、特許文献１〜５に記載の発明など従来の「一枚ずつ名刺やカードを取り出すことができるような、種々の対策を施す収納物」は、いずれも構成や取り出し操作が煩雑又は複雑な特殊な構成で、携帯用としてはいささか重厚長大となり、製作費も嵩むなど種々の問題点がある。
【００１３】
本発明は、前記従来技術の問題点に鑑みてなされたものであり、本発明の目的は、既存の簡潔かつ軽量・コンパクトな構成の名刺入れやポケットなどの収納物に収容し、収納物内の複数枚の名刺束中から一枚ずつ指先で容易に取り出すことができ、携帯性、簡便性及び経済性にも優れる滑り防止部付名刺を提供することにある。
【課題を解決するための手段】
【００１４】
前記目的を達成するため、本発明に係る滑り防止部付名刺は、名刺のシートの表面又は及び裏面の一端側又は両端側もしくは４辺全端側に、指先の滑りを防止する滑り防止部が一ヶ所又は複数ヶ所に予め設けられた滑り防止部付名刺であって、前記滑り防止部は、任意形状の線状又は帯状、円形状、長円形状、楕円形状、多角形状、もしくは絵柄又は文字型イラストが選択的に前記表面又は及び裏面に対して凹状又は及び凸状に形成される、ことを特徴とする。
【００１５】
また、前記名刺の滑り防止部が設けられる一端側は、前記シート類が収納される収納物の取り出し口側方向に配置される、ことを特徴とする。
【００１６】
また、本発明の別の実施形態による前記滑り防止部は、複数の小突起部又は及び小凹陥部が分散配置され形成される、ことを特徴とする。
【００１７】
さらに、本発明の別の実施形態による前記滑り防止部は、複数の帯状突起部又は及び帯状凹溝が任意の角度で略並列又は交叉状に配置され形成される、ことを特徴とする。
【発明の効果】
【００１８】
以上のように構成される本発明によれば、名刺のシートの端側に指先の滑りを防止する滑り防止部が予め設けられるので、既存の簡潔かつ軽量・コンパクトな構成の名刺入れやポケットなどの収納物に収容し、収納物内の複数枚の名刺束中から一枚ずつ指先で滑り防止部に触れて容易に取り出すことができ、携帯性、簡便性及び経済性にも優れる滑り防止部付名刺を提供することができる効果がある。
本発明の目的、特徴、局面、及び利点は、以下の詳細な説明と添付図面とによって、一層明白となる。
【図面の簡単な説明】
【００１９】
【図１】（ａ）は本発明の実施形態１に係る滑り防止部付名刺１の概念を示す平面図、（ｂ）は（ａ）のＸ部の縦断面拡大図である。
【図２】（ａ）は本発明の実施形態２に係る滑り防止部付名刺１Ａの、図１（ａ）のＸ部に相当する縦断面拡大図、（ｂ）は本発明の実施形態３に係る滑り防止部付名刺１Ｂの概念を示す平面図である。
【図３】（ａ）は本発明の実施形態４に係る滑り防止部付名刺１Ｅの概念を示す平面図、（ｂ）は本発明の実施形態５に係る滑り防止部付名刺１Ｆの概念を示す平面図である。
【図４】（ａ）は本発明の実施形態６に係る滑り防止部付名刺１Ｇの概念を示す平面図、（ｂ）は本発明の実施形態７に係る滑り防止部付名刺１Ｈの概念を示す平面図である。
【図５】（ａ）は本発明の実施形態８に係る滑り防止部付名刺１Ｋの概念を示す平面図、（ｂ）は本発明の実施形態９に係る滑り防止部付名刺１Ｌの概念を示す平面図である。
【図６】（ａ）は本発明の実施形態１０に係る滑り防止部付名刺１Ｍの概念を示す平面図、（ｂ）は本発明の実施形態１１に係る滑り防止部付名刺１Ｎの、図１（ａ）のＸ部に相当する縦断面拡大図である。
【図７】（ａ）は本発明の実施形態１２に係る滑り防止部付名刺１Ｐの、図１（ａ）のＸ部に相当する縦断面拡大図、（ｂ）は本発明の実施形態１３に係る滑り防止部付名刺１Ｑの、図１（ａ）のＸ部に相当する縦断面拡大図である。
【図８】（ａ）は本発明の実施形態１４に係る滑り防止部付名刺１Ｒの概念を示す平面図、（ｂ）は（ａ）のＹ部の平面拡大図、（ｃ）は（ａ）のＹ部の縦断面拡大図である。
【図９】（ａ）は本発明の実施形態１５に係る滑り防止部付名刺１Ｓの概念を示す、図８（ａ）のＹ部に相当する部分平面拡大図、（ｂ）は（ａ）の部分縦断面拡大図、（ｃ）は本発明の実施形態１６に係る滑り防止部付名刺１Ｔの概念を示す、（ａ）に相当する部分平面拡大図である。
【図１０】（ａ）は本発明の実施形態１７に係る滑り防止部付名刺１Ｕの概念を示す、図８（ａ）のＹ部に相当する部分平面拡大図、（ｂ）は本発明の実施形態１８に係る滑り防止部付名刺１Ｖの概念を示す平面図である。
【発明を実施するための形態】
【００２０】
以下、本発明の滑り防止部付名刺を実施するための形態の具体例を、添付図面を参照しながら説明する。
（実施形態１）
【００２１】
本発明の一実施形態（実施形態１）に係る滑り防止部付名刺１は、図１（ａ）に示すように、名刺１のシート２上に例えば各種文字やロゴマークなどの表記部Ｊが設けられた表（おもて）面の一端（図示上端）側に、指先の滑りを防止する滑り防止部３が予め一ヶ所設けられる。
【００２２】
実施形態１の滑り防止部３は、図１（ｂ）に示すように、例えばプレス加工などにより、シート２の表面に対して浅い帯状凹溝が任意の小幅及び長さに形成される。この滑り防止部３は、複数に分割してもよい。
（実施形態２）
【００２３】
本発明の実施形態２に係る滑り防止部付名刺１Ａは、図２（ａ）に示すように、滑り防止部３Ｂの形状が、前記実施形態１の滑り防止部付名刺１における滑り防止部３の形状とは異なる相異点を除いて、その他の構成は前記実施形態１の滑り防止部付名刺１と同様である。
【００２４】
したがって、図２（ａ）において、前記実施形態１と同じ機能・構成を有する部材には、一部形状が異なっていても説明を簡明化するため図１（ａ）、（ｂ）の構成部材と同一の符号を付し（あるいは実施形態１と同一の符号にＡを付記し）、これらの詳細な説明は省略する。
【００２５】
実施形態２の滑り防止部３Ａは、図２（ａ）に示すように、シート２の表面に対して任意の小幅及び長さの、小高凸状の帯状突起部が形成される。
【００２６】
このような突起部の形成方法は、公知の各種加工方法、例えば、透明、各種色、つや消し、あるいは金粉や銀粉入りなどの樹脂を用いた公知の盛り上げ印刷などにより任意の立体形状に形成することができる。
（実施形態３）
【００２７】
本発明の実施形態３に係る滑り防止部付名刺１Ｂは、図２（ｂ）に示すように、滑り防止部３Ｂの形状が、前記実施形態１の滑り防止部付名刺１における滑り防止部３の形状とは異なる相異点を除いて、その他の構成は前記実施形態１の滑り防止部付名刺１と同様である。
【００２８】
実施形態３の滑り防止部３Ｂは、図２（ｂ）に示すように、シート２の表面に対して任意の小幅及び長さの小高凸状又は浅い凹状の細長楕円形状に形成される。この滑り防止部３Ｂは、円形状あるいは長円形状に形成してもよい。
（実施形態４）
【００２９】
本発明の実施形態４に係る滑り防止部付名刺１Ｅは、図３（ａ）に示すように、滑り防止部３Ｅの形状が、前記実施形態１の滑り防止部付名刺１における滑り防止部３の形状とは異なる相異点を除いて、その他の構成は前記実施形態１の滑り防止部付名刺１と同様である。
【００３０】
実施形態４の滑り防止部３Ｅは、図３（ａ）に示すように、シート２の表面に対して任意の大きさの小高凸状又は浅い凹状の任意数例えば２つの略菱形状に形成される。
（実施形態５）
【００３１】
本発明の実施形態５に係る滑り防止部付名刺１Ｆは、図３（ｂ）に示すように、滑り防止部３Ｆの形状が、前記実施形態４の滑り防止部付名刺１Ｅにおける滑り防止部３Ｅの形状とは異なる相異点を除いて、その他の構成は前記実施形態４の滑り防止部付名刺１Ｅと同様である。
【００３２】
実施形態５の滑り防止部３Ｆは、図３（ｂ）に示すように、シート２の表面に対して任意の大きさの小高凸状又は浅い凹状の任意数例えば２つの星形状に形成される。
（実施形態６）
【００３３】
本発明の実施形態６に係る滑り防止部付名刺１Ｇは、図４（ａ）に示すように、滑り防止部３Ｇの形状が、前記実施形態４の滑り防止部付名刺１Ｅにおける滑り防止部３Ｅの形状とは異なる相異点を除いて、その他の構成は前記実施形態４の滑り防止部付名刺１Ｅと同様である。
【００３４】
実施形態６の滑り防止部３Ｇは、図４（ａ）に示すように、シート２の表面に対して任意の大きさの小高凸状又は浅い凹状の任意数例えば２つの一形態の花形状に形成される。
（実施形態７）
【００３５】
本発明の実施形態７に係る滑り防止部付名刺１Ｈは、図４（ｂ）に示すように、滑り防止部３Ｈの形状が、前記実施形態６の滑り防止部付名刺１Ｇにおける滑り防止部３Ｇの形状とは異なる相異点を除いて、その他の構成は前記実施形態６の滑り防止部付名刺１Ｇと同様である。
【００３６】
実施形態７の滑り防止部３Ｈは、図４（ｂ）に示すように、シート２の表面に対して任意の大きさの小高凸状又は浅い凹状の任意数例えば２つの別形態の花形状に形成される。
（実施形態８）
【００３７】
本発明の実施形態８に係る滑り防止部付名刺１Ｋは、図５（ａ）に示すように、滑り防止部３Ｋの形状が、前記実施形態６の滑り防止部付名刺１Ｇにおける滑り防止部３Ｇの形状とは異なる相異点を除いて、その他の構成は前記実施形態６の滑り防止部付名刺１Ｇと同様である。
【００３８】
実施形態８の滑り防止部３Ｋは、図５（ａ）に示すように、シート２の表面に対して任意の大きさの小高凸状又は浅い凹状の任意数例えば２つのハート形状に形成される。
（実施形態９）
【００３９】
本発明の実施形態９に係る滑り防止部付名刺１Ｌは、図５（ｂ）に示すように、滑り防止部３Ｌの形状が、前記実施形態８の滑り防止部付名刺１Ｋにおける滑り防止部３Ｋの形状とは異なる相異点を除いて、その他の構成は前記実施形態８の滑り防止部付名刺１Ｋと同様である。
【００４０】
実施形態９の滑り防止部３Ｌは、図５（ｂ）に示すように、シート２の表面に対して任意の大きさの小高凸状又は浅い凹状の任意数例えば２つの任意の文字形状、例えばＱ文字形状に形成される。
（実施形態１０）
【００４１】
本発明の実施形態１０に係る滑り防止部付名刺１Ｍは、図６（ａ）に示すように、滑り防止部３Ｍが、前記実施形態１又は２の滑り防止部付名刺１又は１Ａ  における滑り防止部３又は３Ａとは異なる相異点を除いて、その他の構成は前記実施形態１又は２の滑り防止部付名刺１又は１Ａと同様である。
【００４２】
実施形態１０の滑り防止部３Ｍは、図６（ａ）に示すように、名刺１Ｍのシート２の表（おもて）面の図示上端側に設けられた実施形態１又は２と同様の滑り防止部３又は３Ａに加えて、表（おもて）面の図示下端側に滑り防止部３又は３Ａと同様の、表面に対して任意の小幅及び長さの浅い帯状凹溝又は小高帯状突起部が形成される。これらの滑り防止部３、３Ａ、３Ｍは、それぞれ複数に分割してもよい。
（実施形態１１）
【００４３】
本発明の実施形態２に係る滑り防止部付名刺１Ｎは、図６（ｂ）に示すように、滑り防止部３Ｎの形状が、前記実施形態２の滑り防止部付名刺１Ａにおける滑り防止部３Ａの形状とは異なる相異点を除いて、その他の構成は前記実施形態２の滑り防止部付名刺１Ａと同様である。
【００４４】
実施形態１１の滑り防止部３Ｎは、図６（ｂ）に示すように、シート２の表面及び裏面に対して任意の小幅及び長さの、浅い帯状凹溝３Ｎａと小高凸状の帯状突起部３Ｎｂとが略反転対称状に形成される。
【００４５】
この場合、浅い帯状凹溝３Ｎａが裏面側に、小高凸状の帯状突起部３Ｎｂが表面側に略反転対称状に配置され形成してもよい。この滑り防止部３Ｎは、複数に分割してもよい。
（実施形態１２）
【００４６】
本発明の実施形態１２に係る滑り防止部付名刺１Ｐは、図７（ａ）に示すように、滑り防止部３Ｐの形状が、前記実施形態１１の滑り防止部付名刺１Ｎにおける滑り防止部３Ｎの形状とは異なる相異点を除いて、その他の構成は前記実施形態１１の滑り防止部付名刺１Ｎと同様である。
【００４７】
実施形態１２の滑り防止部３Ｐは、図７（ａ）に示すように、シート２の表面及び裏面に対して任意の小幅及び長さの小高凸状の帯状突起部３Ｎｂが略対称状に形成される。この滑り防止部３Ｐは、複数に分割してもよい。
（実施形態１３）
【００４８】
本発明の実施形態１３に係る滑り防止部付名刺１Ｑは、図７（ｂ）に示すように、滑り防止部３Ｑの形状が、前記実施形態１１の滑り防止部付名刺１Ｎにおける滑り防止部３Ｎの形状とは異なる相異点を除いて、その他の構成は前記実施形態１１の滑り防止部付名刺１Ｎと同様である。
【００４９】
実施形態１３の滑り防止部３Ｑは、図７（ｂ）に示すように、シート２の表面及び裏面に対して任意の小幅及び長さの浅い帯状凹溝３Ｑａが略対称状に形成される。この滑り防止部３Ｑは、複数に分割してもよい。
（実施形態１４）
【００５０】
本発明の実施形態１４に係る滑り防止部付名刺１Ｒは、図８（ａ）〜（ｃ）に示すように、滑り防止部３Ｒの形状が、前記実施形態１の滑り防止部付名刺１における滑り防止部３の形状とは異なる相異点を除いて、その他の構成は前記実施形態１の滑り防止部付名刺１と同様である。
【００５１】
実施形態１４の滑り防止部３Ｒは、図８（ｃ）に示すように、シート２の表面に対して任意の小幅及び長さの浅い帯状凹溝３Ｒａ内に小高凸状の複数の小突起部３Ｒｂが形成される。
【００５２】
この場合、滑り防止部３Ｒは、浅い帯状凹溝３Ｒａを設けず、シート２の表面上に直に任意の小幅及び長さの帯状範囲内に小高凸状の複数の小突起部３Ｒｂを形成してもよい。この滑り防止部３Ｒは、複数に分割してもよい。
【００５３】
これら複数の小突起部３Ｒｂは、例えば点字エンボス加工や箔転写（フォイル・スタンプ）加工など公知の各種凹凸加工又はエンボス印刷等の加工方法により形成することができる。
（実施形態１５）
【００５４】
本発明の実施形態１５に係る滑り防止部付名刺１Ｓは、図９（ａ）、（ｂ）に示すように、滑り防止部３Ｓの形状が、前記実施形態１４の滑り防止部付名刺１Ｒにおける滑り防止部３Ｒの形状とは異なる相異点を除いて、その他の構成は前記実施形態１４の滑り防止部付名刺１Ｒと同様である。
【００５５】
実施形態１５の滑り防止部３Ｓは、図９（ａ）、（ｂ）に示すように、例えばローレット加工などによりシート２の表面に対して任意の小幅及び長さの帯状溝３Ｓａ内に小高凸状の複数の小幅帯状突起部３Ｓｂが任意の角度で交叉する四角目（クロスパターン）や菱形目（ダイヤモンドパターン）などの交叉状に配置され形成される。この滑り防止部３Ｓは、複数に分割してもよい。
（実施形態１６）
【００５６】
本発明の実施形態１６に係る滑り防止部付名刺１Ｔは、図９（ｃ）に示すように、滑り防止部３Ｔの形状が、前記実施形態１５の滑り防止部付名刺１Ｓにおける滑り防止部３Ｓの形状とは異なる相異点を除いて、その他の構成は前記実施形態１５の滑り防止部付名刺１Ｓと同様である。
【００５７】
実施形態１６の滑り防止部３Ｔは、図９（ｃ）に示すように、例えばローレット加工などによりシート２の表面に対して任意の小幅及び長さの帯状溝３Ｔａ内に小高凸状の複数の小幅帯状突起部３Ｔｂが並列に配置される平目パターン状に形成される。この滑り防止部３Ｔは、複数に分割してもよい。
（実施形態１７）
【００５８】
本発明の実施形態１７に係る滑り防止部付名刺１Ｕは、図１０（ａ）に示すように、滑り防止部３Ｕの形状が、前記実施形態１６の滑り防止部付名刺１Ｔにおける滑り防止部３Ｔの形状とは異なる相異点を除いて、その他の構成は前記実施形態１６の滑り防止部付名刺１Ｔと同様である。
【００５９】
実施形態１７の滑り防止部３Ｕは、図１０（ａ）に示すように、例えばローレット加工などによりシート２の表面に対して任意の小幅及び長さの帯状溝３Ｕａ内に小高凸状の複数の小幅帯状突起部３Ｕｂが任意角度で傾斜し並列に配置され形成される。この滑り防止部３Ｕは、複数に分割してもよい。
【００６０】
なお、実施形態１６、１７に係る滑り防止部付名刺１Ｔ、１Ｕにおける滑り防止部３Ｔ、３Ｕは、いずれも浅い帯状凹溝３Ｔａ、３Ｕａを設けず、シート２の表面上に直に任意の小幅及び長さの帯状範囲内に小高凸状の複数の小突起部３Ｔｂ、３Ｕｂをそれぞれ形成してもよい。
（実施形態１８）
【００６１】
本発明の実施形態１８に係る滑り防止部付名刺１Ｖは、図１０（ｂ）に示すように、滑り防止部３Ｖの形状が、前記実施形態１又は２の滑り防止部付名刺１又は１Ａにおける滑り防止部３又は３Ａの形状とは異なる相異点を除いて、その他の構成は前記実施形態１又は２の滑り防止部付名刺１又は１Ａと同様である。
【００６２】
実施形態１８の滑り防止部３Ｖは、図１０（ｂ）に示すように、シート２の４辺全端側の表面に対して複数の任意の小幅及び長さの、浅い帯状凹溝又は小高帯状突起部３Ｖａ、３Ｖｂ、３Ｖｃ、３Ｖｄ、３Ｖｅ、３Ｖｆ、３Ｖｇ、３Ｖｈが形成される。
【００６３】
滑り防止部３Ｖのうち、シート２の４隅に配置される浅い帯状凹溝又は小高帯状突起部３Ｖａ、３Ｖｃ、３Ｖｄ、３Ｖｆは略Ｌ字又は逆Ｌ字状に屈曲し形成されるが、４隅の角部は分断すなわち切り離してもよい。
【００６４】
なお、実施形態１、２、１０、１４〜１７に係る滑り防止部付名刺１、１Ａ、１Ｍ、１Ｒ〜１Ｕにおける滑り防止部３、３Ｍ、３Ｒ〜３Ｕは、いずれも１本に限定することなく、複数の帯状凹溝又は及び帯状凸溝にそれぞれ分割し形成してもよい。
【００６５】
以上から、本発明の実施形態１〜１８に係る滑り防止部付名刺１〜１Ｖによると、名刺のシート２の表面又は及び裏面の一端側又は両端側もしくは４辺全端側に指先の滑りを防止する滑り防止部３〜３Ｖが予め設けられるので、既存の簡潔かつ軽量・コンパクトな名刺入れなどの収納物に収容し、収納物内の複数枚の名刺束中から指先で滑り防止部３〜３Ｖに触れて一枚ずつ容易に取り出すことができる。
【００６６】
本発明の特定の実施形態についての前記説明は、例示を目的として提示したものである。それらは、網羅的であったり、記載した形態そのままに本発明を制限したりすることを意図したものではない。数多くの変形や変更が、例えば前記滑り防止部は任意形状の線状又は帯状、円形状、長円形状、楕円形状、多角形状、もしくは絵柄又は文字型イラストが選択的に前記表面又は及び裏面に対して凹状又は及び凸状に形成されるなど、前記の記載内容に照らして可能であることは当業者に自明である。
【産業上の利用可能性】
【００６７】
本発明の滑り防止部付名刺は、名刺のシートの端側に指先の滑りを防止する滑り防止部が予め設けられるので、既存の簡潔かつ軽量・コンパクトな構成の名刺入れやポケットなどの収納物に収容し、収納物内の複数枚の名刺束中から一枚ずつ指先で滑り防止部に触れて容易に取り出すことができ、携帯性、簡便性及び経済性にも優れる滑り防止部付名刺を提供できることから広範な産業界等のビジネスマンにとって簡便に活用可能である。
【符号の説明】
【００６８】
１、１Ａ、１Ｂ、１Ｅ、１Ｆ、１Ｇ、１Ｈ、１Ｋ、１Ｌ、１Ｍ、１Ｎ、１Ｐ、１Ｑ、１Ｒ、１Ｓ、１Ｔ、１Ｕ、１Ｖ  滑り防止部付名刺
２  シート
３、３Ａ、３Ｂ、３Ｅ、３Ｆ、３Ｇ、３Ｈ、３Ｋ、３Ｌ、３Ｍ、３Ｎ、３Ｐ、３Ｑ、３Ｒ、３Ｓ、３Ｔ、３Ｕ、３Ｖ  滑り防止部
Ｊ  表記部
【図１】
2016049715.tif 000003
【図２】
2016049715.tif 000004
【図３】
2016049715.tif 000005
【図４】
2016049715.tif 000006
【図５】
2016049715.tif 000007
【図６】
2016049715.tif 000008
【図７】
2016049715.tif 000009
【図８】
2016049715.tif 000010
【図９】
2016049715.tif 000011
【図１０】
2016049715.tif 000012